(57)【要約】      （修正有）【課題】緑茶カップにフィルターを手軽に取付けできるようにし、お茶の浮力によっても緑茶カップの内部においてフィルターが取り外されない緑茶カップを提供する。【解決手段】緑茶カップは、直径が上部から下部に向かって進むにつれて小さくなる円筒状の胴体１１０と、前記胴体１１０の中間部分の内側の周縁に突出した第１及び第２のエンボシング部１２０、１３０と、前記第１及び第２のエンボシング部１２０、１３０の間に嵌め込まれて固定されるフィルター１４０と、を備えるが、前記フィルター１４０の上面の中央には飲用者が把持し易いようにつまみ１４３が形成され、前記第２のエンボシング部１３０には所定の間隔を隔てて切欠き溝１３１が配備され、フィルター１４０の外周縁には所定の間隔を隔てて嵌合突起１４１が配備され、前記嵌合突起１４１は切欠き溝１３１に嵌合する。【選択図】図２
2018183580.tif 000002
【特許請求の範囲】
【請求項１】
直径が上部から下部に向かって進むにつれて小さくなる円筒状の胴体（１１０）と、
前記胴体（１１０）の中間部分の内側の周縁に突出した第１及び第２のエンボシング部（１２０、１３０）と、
前記第１及び第２のエンボシング部（１２０、１３０）の間に嵌め込まれて固定されるフィルター（１４０）と、
を備えるが、
前記フィルター（１４０）の上面の中央には飲用者が把持し易いようにつまみ（１４３）が形成され、
前記第２のエンボシング部（１３０）には所定の間隔を隔てて切欠き溝（１３１）が配備され、フィルター（１４０）の外周縁には所定の間隔を隔てて嵌合突起（１４１）が配備され、前記嵌合突起（１４１）は切欠き溝（１３１）に嵌合することを特徴とする緑茶カップ。
【請求項２】
前記胴体（１０）の材質は、紙、プラスチック、ガラス、マグのうちのいずれか一種であることを特徴とする請求項１に記載の緑茶カップ。
【請求項３】
前記フィルター（１４０）は、紙又はプラスチック材質から形成され、フィルター（１４０）にはろ過孔（１４２）が形成されたことを特徴とする請求項１に記載の緑茶カップ。
【請求項４】
前記ろ過孔（１４２）には、下端部の直径（ｄ２）がろ過孔（１４２）の直径（ｄ１）よりも小さい逆流防止具（１４４）が配備されたことを特徴とする請求項３に記載の緑茶カップ。
【請求項５】
前記逆流防止具（１４４）は、「Ｕ」字状を呈することを特徴とする請求項４に記載の緑茶カップ。
【請求項６】
前記フィルター（１４０）の材質は、不織布であることを特徴とする請求項１に記載の緑茶カップ。
【請求項７】
前記不織布は抗菌材によりコーティングされているが、
前記抗菌材は、熱硬化性樹脂１００重量部に対して二酸化チタンを５〜１５重量部含有し、接着剤として無機質バインダーを３〜８重量部含有し、希釈剤としてｐＨ４．５〜６．５の範囲の弱酸性アルコールを３〜８重量部含有し、濃度の調節のための水を７５〜９５重量部含有し、フラーレンの混合物を０．００１〜０．１重量部含有することを特徴とする請求項６に記載の緑茶カップ。
【発明の詳細な説明】
【技術分野】
【０００１】
本発明は、緑茶カップに係り、更に詳しくは、緑茶カップの内部にフィルターを固定するエンボシング部を形成することにより、茶かすなどをろ過して、茶かすが飲用者の口に引き込まれないようにする緑茶カップに関する。
【背景技術】
【０００２】
図１に示すように、従来の緑茶入り緑茶カップは、ティーバッグが紙カップの内部の底面に取り付けられた構成を有するものが公知となっている。
【０００３】
しかしながら、従来の紙カップは、ティーバッグしか使えないものであるため、干した茶葉を紙カップに入れた状態でお湯を注いでお茶を浸出し、飲むときには茶かすが飲用者の口に流入してしまうという問題があった。
【先行技術文献】
【特許文献】
【０００４】
【特許文献１】大韓民国登録実用新案第２０−０２７７０７５号公報
【発明の概要】
【発明が解決しようとする課題】
【０００５】
本発明は、お茶を浸出するときに茶葉などのろ過の対象となる物質及び飲用液体（お茶）が混合されて飲用者の口に入ることを防ぐ緑茶カップを提供し、緑茶カップにフィルターを手軽に取付けできるようにし、お茶の浮力によっても緑茶カップの内部においてフィルターが取り外されないようにすることを目的とする。
【課題を解決するための手段】
【０００６】
本発明の緑茶カップは、直径が上部から下部に向かって進むにつれて小さくなる円筒状の胴体と、胴体の中間部分の内側の周縁に突出した第１及び第２のエンボシング部と、第１及び第２のエンボシング部の間に嵌め込まれて固定されるフィルターと、を備えるが、フィルターの上面の中央には飲用者が把持し易いようにつまみが形成され、第２のエンボシング部には所定の間隔を隔てて切欠き溝が配備され、フィルターの外周縁には所定の間隔を隔てて嵌合突起が配備され、前記嵌合突起は切欠き溝に嵌合することを特徴とする。
【０００７】
また、胴体の材質は、紙、プラスチック、ガラス、マグのうちのいずれか一種であることを特徴とする。
【０００８】
さらに、フィルターは、紙又はプラスチック材質から形成され、フィルターにはろ過孔が形成されたことを特徴とする。
【０００９】
さらにまた、前記ろ過孔には、下端部の直径がろ過孔の直径よりも小さい逆流防止具が配備されたことを特徴とする。
【００１０】
さらにまた、逆流防止具は、「Ｕ」字状を呈することを特徴とする。
【００１１】
さらにまた、フィルターの材質は、不織布であることを特徴とする。
【００１２】
さらにまた、不織布は抗菌材によりコーティングされているが、抗菌材は、熱硬化性樹脂１００重量部に対して二酸化チタンを５〜１５重量部含有し、接着剤として無機質バインダーを３〜８重量部含有し、希釈剤としてｐＨ４．５〜６．５の範囲の弱酸性アルコールを３〜８重量部含有し、濃度の調節のための水を７５〜９５重量部含有し、フラーレンの混合物を０．００１〜０．１重量部含有することを特徴とする。
【発明の効果】
【００１３】
本発明の緑茶カップは、茶葉などのろ過の対象となる物質及び飲用液体（お茶）が混合されて飲用者の口に入ることを防ぐ効果と、緑茶カップにフィルターを手軽に取付けできるようにする効果及び水の浮力によっても緑茶カップの内部に固定されたフィルターが取り外されないようにする効果がある。
また、フィルターを抗菌処理して衛生的に使えるという効果がある。
【図面の簡単な説明】
【００１４】
【図１】従来の紙カップの断面図。
【図２】本発明の緑茶カップの斜視図及び断面図。
【図３】本発明のフィルターの斜視図。
【図４】本発明のフィルターの他の実施形態。
【図５】本発明のフィルターのさらに他の実施形態。
【図６】本発明のフィルターの材質が不織布であることを示す斜視図。
【発明を実施するための形態】
【００１５】
以下、添付図面に基づいて、本発明の好適な実施形態について詳細に説明する。参考までに、本発明を説明するに当たって参照する図面に示す構成要素の大きさ、線の太さなどは理解のしやすさのためにやや誇張されて表現されていてもよい。
なお、本発明の説明に用いられる用語は、本発明における機能を考慮して定義したものであるため、使用者、運用者の意図、慣例などによって異なる場合がある。よって、この用語に対する定義は、当然のことながら、本明細書の全般に亘っての内容に基づいて下すべきである。
【００１６】
また、本発明は、以下に開示される実施形態に限定されるものではなく、異なる様々な形態として実現される筈であり、単に本実施形態は、本発明の開示を完全たるものにし、通常の知識を有する者に発明の範疇を完全に知らせるために提供されるものである。
【００１７】
但し、本発明について説明するに当たって、周知又は公知の機能若しくは構成についての具体的な説明は、本発明の要旨を明瞭にするために省略する。
【００１８】
図２は、本発明の緑茶カップの斜視図及び断面図であり、図３は、フィルターの斜視図であり、図６は、本発明のフィルターの材質が不織布であることを示す斜視図である
【００１９】
同図に示すように、本発明の緑茶カップ１００は、紙、プラスチック、ガラス、マグなどの材質から形成されてもよく、大きく、胴体１１０と、第１及び第２のエンボシング部１２０、１３０と、フィルター１４０と、により構成される。
【００２０】
前記胴体１１０は、茶葉などを入れてお湯を注いでお茶を浸出する収容空間であり、内側の直径が上部から下部に向かって進むにつれて小さくなる円筒状を呈しているため、飲用者が相対的に直径が小さい円筒状の胴体の下部を把持して飲用しやすいようにする機能を有している。
【００２１】
前記胴体１１０の形状が四角形であってもよく、上部及び下部の直径が同じであってもよいということはいうまでもない。
【００２２】
前記第１及び第２のエンボシング部１２０、１３０は、前記胴体１１０の中間部分の内側の周縁に突出していて、後述するフィルター１４０が据え置かれて固定される部分であり、胴体１１０の下側に形成された第１のエンボシング部１２０及びその上に形成されている第２のエンボシング部１３０は、所定の間隔を隔てて突出している。
【００２３】
具体的に、第１のエンボシング部１２０は、胴体の内周縁に突出している形状を呈しており、第２のエンボシング部１３０は、第１のエンボシング部１２０と所定の間隔を隔てて胴体の内周縁に突出しているが、第２のエンボシング部１３０には所定の間隔を隔てて切欠き溝１３１が配備されていて、後述するフィルター１４０の外周縁に形成された嵌合突起１４１が嵌入する。
【００２４】
前記フィルター１４０は、前記第１及び第２のエンボシング部１２０、１３０の間に嵌め込まれて固定されるものであり、外周縁に所定の間隔を隔てて嵌合突起１４１が形成されていて、前記第２のエンボシング部１３０の外周縁に所定の間隔を隔てて形成された切欠き溝１３１に嵌合する。
【００２５】
前記フィルター１４０は、紙、プラスチック材質から形成されていてもよく、この場合、フィルター１４０には上下面を貫通するろ過孔１４２が形成されている。
【００２６】
前記フィルター１４０の上面の中央には、飲用者が把持しやすいようにつまみ１４３が突出している。
【００２７】
上述したような構成の作動関係について説明すると、先ず、緑茶カップ１００の胴体１１０の収容空間に茶葉を入れ、次いで、フィルター１４０を係合するが、前記フィルター１４０のつまみ１４３を飲用者が把持した状態で、フィルター１４０の外周縁に形成された嵌合突起１４１を第２のエンボシング部１３０の外周縁に形成された切欠き溝１３１に嵌合した後、フィルター１４０を回転させると、フィルター１４０は回転して嵌合突起１４１が第２のエンボシング部１３０の切欠き溝１３１が形成されていない部分に位置することにより、フィルター１４０は、第１及び第２のエンボシング部１２０、１３０の間に強固に固定可能になる。
【００２８】
この状態でお湯を緑茶カップ１００に注いでお茶を浸出するとき、フィルター１４０がお茶の浮力により上昇しようとすることを第２のエンボシング部１３０が遮断するものであるため、フィルター１４０は、緑茶カップ１００の内部に固定可能になる。したがって、たとえ茶葉は浮力により上昇するとしても、フィルター１４０に引っかかって上昇することができないものであるため、飲用者は、茶かすのないお茶のみを飲用することが可能になる。
【００２９】
また、前記フィルター１４０は、不織布から形成されていてもよい。前記不織布の繊維織物には、抗菌処理のために、各種の汚染物質を無害な物質に変化させる環境にやさしい素材である二酸化チタン光触媒剤を繊維織物にコーティングして不織布を織り上げるが、光触媒は、光を受光すれば触媒反応を引き起こす物質であり、光触媒の中でも、特に二酸化チタン（ＴｉＯ２）は、耐酸性及び耐アルカリ性に優れており、人体に無害であり、二酸化チタンは、紫外線（４００ｎｍ）を受ければ粒子の表面に強力な酸化物質であるヒドロキシラジカル（−ＯＨ）及びスーパーオキシドを生成して、有機化合物を酸化分解させて無害な物質に変化させる。
【００３０】
前記二酸化チタン光触媒剤は、熱硬化性樹脂１００重量部に対して二酸化チタンを５〜１５重量部含有し、接着剤として無機質バインダーを３〜８重量部含有し、希釈剤としてｐＨ４．５〜６．５の範囲の弱酸性アルコールを３〜８重量部含有し、濃度の調節のための水７５〜９５重量部、フラーレンの混合物０．００１〜０．１重量部を含有するコーティング液組成物を繊維織物の表面に塗布し且つ熱処理することによりコーティング層が形成されているため、抗菌性を有することを特徴とする
【００３１】
図４は、本発明のフィルターの他の実施形態である。
【００３２】
本実施形態においては、同図に示すように、フィルター１４０のろ過孔１４２には下側に逆流防止具１４４が突設されているが、逆流防止具１４４の下端部の直径ｄ２は、ろ過孔１４２の直径ｄ１よりも小さいことを特徴とする。
【００３３】
上述したような構成を採択したフィルター１４０は、緑茶カップ１００の上から下降するお茶は、漏斗状の逆流防止具１４４を介して下側に円滑に排出しながら、緑茶カップ１００の下から浮力により上昇する茶葉かすは小さい直径ｄ２の逆流防止具１４４に遮られてフィルター１４０を通過して上側に上昇できないようにすることにより、飲用者は茶かすのないお茶のみを飲用することが可能になる。
【００３４】
図５は、本発明フィルターのさらに他の実施形態である。
【００３５】
本実施形態においては、同図に示すように、逆流防止具１４４が「Ｕ」字状に折れ曲がっていることを特徴とし、残りの構成は、前記他の実施形態と同様である。
【００３６】
上述したような構成を採択したフィルター１４０は、緑茶カップの下から浮力により上昇する茶葉かすは、小さい直径ｄ２の逆流防止具１４４に遮られてフィルター１４０を通過して上側に上昇できないようにするとともに、逆流防止具１４４の「Ｕ」字状の折れ曲がり部に引っかかって、逆流防止具１４４に引き込まれることができないものであるため、飲用者は、茶かすのないお茶のみを飲用することが可能になる。
【００３７】
上述したような本発明の緑茶カップは、茶葉などのろ過の対象となる物質及び飲用液体（お茶）が混合されて飲用者の口に入ることを防ぐ効果と、緑茶カップにフィルターを手軽に取付けできるようにする効果及び水の浮力によっても緑茶カップの内部に固定されたフィルターが取り外されないようにする効果がある。
【００３８】
また、フィルターを抗菌処理して衛生的に使えるという効果がある。
【符号の説明】
【００３９】
１００  緑茶カップ
１１０  本体
１２０  第１のエンボシング部
１３０  第２のエンボシング部
１４０  フィルター
１３１  切欠き溝
１４１  嵌合突起
１４２  ろ過孔
１４３  つまみ
１４４  逆流防止具
【図１】
2018183580.tif 000003
【図２】
2018183580.tif 000004
【図３】
2018183580.tif 000005
【図４】
2018183580.tif 000006
【図５】
2018183580.tif 000007
【図６】
2018183580.tif 000008